(57)【要約】【課題】チャフシーブにおける二番還元物のオーバーフローを防止する。【解決手段】脱穀装置１の揺動選別体７は、受網６を介して扱室２から落下した処理物を受け止めて後方へ送る第一フィードパン１３と、第一フィードパン１３の後方で処理物を篩い選別するチャフシーブ１４と、チャフシーブ１４の後方で処理物を二番ラセン１１に漏下させるストロラック１６とを備えて構成されると共に、チャフシーブ１４の一側方に二番還元口２３が位置し、該二番還元口２３から還元された二番還元物がチャフシーブ１４上に直接落下するように配置され、さらに、チャフシーブ１４の後端部二番還元口側には、チャフシーブ１４上に落下した二番還元物のオーバーフローを防止するためのオーバーフロー防止部材２８が設けられる。【選択図】図６
2010011803.tif 000002
【特許請求の範囲】
【請求項１】
受網を介して扱室から選別室に落下した処理物を、選別室に設けられる揺動選別体で選別すると共に、選別された二番物を、選別室の側壁部に設けられる二番還元口から揺動選別体上に還元させる脱穀装置において、
前記揺動選別体は、
受網を介して扱室から落下した処理物を受け止めて後方へ送るフィードパンと、
フィードパンの後方で処理物を篩い選別するチャフシーブと、
チャフシーブの後方で処理物を二番回収部に漏下させるストロラックとを備えて構成されると共に、
チャフシーブの一側方に二番還元口が位置し、該二番還元口から還元された二番還元物がチャフシーブ上に直接落下するように配置され、
さらに、チャフシーブの後端部二番還元口側には、チャフシーブ上に落下した二番還元物のオーバーフローを防止するためのオーバーフロー防止部材が設けられる
ことを特徴とする脱穀装置。
【請求項２】
前記オーバーフロー防止部材を揺動選別体に設けたことを特徴とする請求項１記載の脱穀装置。
【請求項３】
前記揺動選別体は、扱室の後部から選別室に落下した処理物をチャフシーブの上方で受け止めて後方へ送り、ストロラック上に落下させる第二フィードパンを備え、該第二フィードパンの一側方には、二番還元口から還元された二番還元物をチャフシーブ上に直接落下させるための空間が形成されることを特徴とする請求項１又は２記載の脱穀装置。
【発明の詳細な説明】
【技術分野】
【０００１】
本発明は、コンバインなどに搭載される脱穀装置に関する。
【背景技術】
【０００２】
一般に、この種の脱穀装置は、受網を介して扱室から選別室に落下した処理物を、選別室に設けられる揺動選別体で選別し、選別された一番物を、揚穀筒を介して穀粒タンクに貯留する一方、選別された二番物を、選別室の側壁部に設けられる二番還元口から揺動選別体上に還元させるように構成されている。
【０００３】
揺動選別体は、受網を介して扱室から落下した処理物を受け止めて後方へ送るフィードパンと、フィードパンの後方で処理物を篩い選別するチャフシーブと、チャフシーブの後方で処理物を二番回収部に漏下させるストロラックとを備えており、二番物を揺動選別体上に還元させる場合は、二番還元口の位置をフィードパン又はチャフシーブの一側方とし、二番物をフィードパン上やチャフシーブ上に還元させる（例えば、特許文献１参照）。
【特許文献１】特開２００２−３３０６２０号公報
【発明の開示】
【発明が解決しようとする課題】
【０００４】
しかしながら、二番還元口から還元された二番還元物がチャフシーブ上に直接落下するような配置構成とした場合は、二番還元量が一時的に急増したとき、チャフシーブの漏下能力が不足し、オーバーフローが発生する惧れがある。そして、オーバーフローが発生した場合は、多くの二番還元物がチャフシーブの終端部から溢れるので、二番物が増加して選別精度や選別効率が低下するだけでなく、機外飛散も増加してしまうことになる。
【課題を解決するための手段】
【０００５】
本発明は、上記の如き実情に鑑みこれらの課題を解決することを目的として創作されたものであって、受網を介して扱室から選別室に落下した処理物を、選別室に設けられる揺動選別体で選別すると共に、選別された二番物を、選別室の側壁部に設けられる二番還元口から揺動選別体上に還元させる脱穀装置において、前記揺動選別体は、受網を介して扱室から落下した処理物を受け止めて後方へ送るフィードパンと、フィードパンの後方で処理物を篩い選別するチャフシーブと、チャフシーブの後方で処理物を二番回収部に漏下させるストロラックとを備えて構成されると共に、チャフシーブの一側方に二番還元口が位置し、該二番還元口から還元された二番還元物がチャフシーブ上に直接落下するように配置され、さらに、チャフシーブの後端部二番還元口側には、チャフシーブ上に落下した二番還元物のオーバーフローを防止するためのオーバーフロー防止部材が設けられることを特徴とする。このようにすると、二番還元口から還元された二番還元物がチャフシーブ上に直接落下するような配置構成を採用するものでありながら、チャフシーブの後端部二番還元口側には、オーバーフロー防止部材が設けられているので、二番還元量が一時的に急増しても、オーバーフローの発生を回避できる。その結果、オーバーフローに伴う選別精度や選別効率の低下、機外飛散の増加などを防止することができる。また、二番還元量の一時的な急増に備えてチャフシーブの開度を開き気味にする必要がないので、チャフシーブにおける良好な選別性能を維持することができる。
また、前記オーバーフロー防止部材を揺動選別体に設けたことを特徴とする。このようにすると、オーバーフロー防止部材が揺動選別体と一緒に揺動するので、オーバーフロー防止部材の近傍に溜まる二番還元物を積極的にほぐし、チャフシーブにおける二番還元物の詰まりを抑制することができる。
また、前記揺動選別体は、扱室の後部から選別室に落下した処理物をチャフシーブの上方で受け止めて後方へ送り、ストロラック上に落下させる第二フィードパンを備え、該第二フィードパンの一側方には、二番還元口から還元された二番還元物をチャフシーブ上に直接落下させるための空間が形成されることを特徴とする。このようにすると、第二フィードパンを備えるものでも、二番還元口から還元された二番還元物をチャフシーブ上に直接落下させることができるので、本発明の適用が可能になる。
【発明を実施するための最良の形態】
【０００６】
次に、本発明の実施形態について、図面に基づいて説明する。図面において、１はコンバインなどに設けられる脱穀装置であって、該脱穀装置１は、茎稈を扱室２の扱口に沿って挟持搬送する脱穀フィードチェン３と、扱口を介して扱室２内に導入される茎稈から穀粒（藁屑などを含む処理物）を脱穀する扱胴４と、脱穀された処理物を選別室５に漏下する受網６と、受網６を介して扱室２から落下した処理物を揺動選別する揺動選別体７と、選別風を起風する圧風ファン８と、選別された一番物を回収する一番ラセン９と、選別された二番物を回収する二番ラセン（二番回収部）１０と、回収した二番物を揺動選別体７上に還元する二番還元経路１１と、脱穀済みの排藁を脱穀フィードチェン３の終端部で受け継ぎ、装置後部まで搬送する排藁搬送体１２とを備えて構成されている。
【０００７】
揺動選別体７は、受網６を介して扱室２から落下した処理物を受け止めて後方へ送る第一フィードパン１３と、第一フィードパン１３の後方で処理物を篩い選別するチャフシーブ１４と、該チャフシーブ１４から漏下した処理物をさらに篩選別するグレンシーブ１５と、チャフシーブ１４の後方で処理物を二番ラセン１０に漏下させるストロラック１６と、扱室２の後部開口や四番口１７から選別室５に落下した処理物をチャフシーブ１４の上方で受け止めて後方へ送り、ストロラック１６上に落下させる第二フィードパン１８とを備えるアッセンブリであって、選別室５内に揺動自在に支持されると共に、カム機構などの揺動機構によって強制的に揺動される。
【０００８】
具体的に説明すると、第一フィードパン１３は、波板状の移送板からなり、該移送板の揺動移送作用にもとづいて、処理物を後方に順次送る。チャフシーブ１４は、前後方向に所定間隔を存して並設される複数のフィン１４ａによって構成され、グレンシーブ１５は、所定の目合いを有する金網部材で構成されている。第一フィードパン１３の終端まで移送された処理物は、チャフシーブ１４及びグレンシーブ１５によって、二段階に篩い選別されると共に、その過程で選別風を受けて精選される。そして、精選された穀粒は、一番物として一番ラセン９に落下する。また、チャフシーブ１４の終端部まで移送された処理物は、ストロラック１６を介して二番ラセン１０に落下する。ここに落下する二番物には、単粒、穂付き粒、短藁などが含まれる。また、ストロラック１６に落下規制された長藁などは、その終端まで移送され、排塵口１９から機外に排出される。尚、チャフシーブ１４は、フィン１４ａ間の隙間の開き具合（以下、フィン開度という。）を調節可能であり、選別する材料の種類や量に応じて、チャフシーブ１４のフィン開度を調節することにより、良好な選別精度及び選別効率が得られる。
【０００９】
第二フィードパン１８は、第一フィードパン１３と同様に、波板状の移送板で構成されたものであって、チャフシーブ１４の左右両側に立設される支持側板２０、２１の上端部間に一体的に架設してある。このように設けられた第二フィードパン１８は、扱室２の後部開口や四番口１７から選別室５に落下した処理物をチャフシーブ１４の上方で受け止めて後方へ送り、ストロラック１６上に落下させる。つまり、扱室２の後部開口や四番口１７から落下する処理物は、多くの混合物を含むため、チャフシーブ１４上に直接落下させる場合に比べ、選別精度を向上させることができる。また、第二フィードパン１８は、チャフシーブ１４から吹き上がる選別風を排塵口１９方向へ誘導する風向板としても機能している。
【００１０】
二番還元経路１１は、選別室５の側壁部２２（脱穀フィードチェン３の反対側）に沿って形成され、二番ラセン１０の終端部で受け継いだ二番物を、側壁部２２に形成される二番還元口２３まで移送し、ここから揺動選別体７上に放出する。二番還元口２３の位置は、チャフシーブ１４及び第二フィードパン１８の一側方であるが、二番還元物は、二番還元口２３から斜め前方に放出されるので、第一フィードパン１３上にも還元される。
【００１１】
本発明の実施形態に係る脱穀装置１では、チャフシーブ１４及び第二フィードパン１８の一側方に二番還元口２３が位置するように配置するにあたり、第二フィードパン１８の一側方に、二番還元口２３から還元された二番還元物をチャフシーブ１４上に直接落下させるための空間２４が形成してある。例えば、第二フィードパン１８の右側支持側板２１を左側にオフセットし、上記の空間２４を確保する。このようにすると、チャフシーブ１４及び第二フィードパン１８の一側方に二番還元口２３が位置するような配置構成にしても、第二フィードパン１８の一側方には、二番還元口２３から還元された二番還元物をチャフシーブ１４上に直接落下させるための空間２４が形成されるので、二番還元物が第二フィードパン１８上に乗ることを防止し、二番物や機外飛散の増加を回避できる。
【００１２】
また、第二フィードパン１８の一側面部には、チャフシーブ１４上に直接落下した二番還元物を第二フィードパン１８の下方領域まで流れ込ませるための開口部２１ａを形成することが好ましい。例えば、右側支持側板２１の下側を大きく切欠き、上記の開口部２１ａとする。このようにすると、チャフシーブ１４における二番還元物の処理能力が向上するので、チャフシーブ１４上で二番還元物がオーバーフロー状態になることを防止し、オーバーフローによる二番物や機外飛散の増加を回避できる。
【００１３】
また、選別室５内には、二番還元口２３と第二フィードパン１８の上面との間を遮蔽する遮蔽部材２５を吊設することが好ましい。例えば、側壁部２２における二番還元口２３の上方位置に、庇状のブラケット２６を突設すると共に、該ブラケット２６の先端部に、弾性シート部材からなる遮蔽部材２５を吊設して、二番還元口２３と第二フィードパン１８の上面との間を遮蔽する。このようにすると、二番還元物が第二フィードパン１８上に乗ることを確実に防止できる。
【００１４】
また、遮蔽部材２５及びブラケット２６は、チャフシーブ１４から吹き上がる選別風を排塵口１９方向へ誘導する風向部材としても機能させることができる。つまり、上記の空間２４を形成した場合、該空間２４から選別風が吹き上がり、四番口１７に到達する惧れがあるが、遮蔽部材２５及びブラケット２６を利用して空間２４から吹き上がる選別風を排塵口１９方向へ誘導することにより、選別風の流れを最適化し、選別性能を向上させることができる。
【００１５】
また、遮蔽部材２５の下端部は、第二フィードパン１８の右側支持側板２１に連結することが好ましい。このようにすると、二番還元口２３と第二フィードパン１８の上面との間を隙間無く遮蔽できる。しかも、本実施形態の遮蔽部材２５は、弾性シート部材であるため、揺動選別体７の揺動を阻害する惧れもない。尚、図中、符号２７で示す部材は、ブラケット２６上における処理物や屑の堆積を防止する傾斜ガイド板である。
【００１６】
本発明の実施形態に係る脱穀装置１では、チャフシーブ１４の一側方に二番還元口２３が位置し、該二番還元口２３から還元された二番還元物がチャフシーブ１４上に直接落下するように配置するにあたり、チャフシーブ１４の後端部二番還元口側には、チャフシーブ１４上に落下した二番還元物のオーバーフローを防止するためのオーバーフロー防止部材２８が設けられる。例えば、前記空間２４と左右幅が略一致する板部材を空間２４の後端部に立設し、オーバーフロー防止部材２８として機能させる。
【００１７】
このようにすると、二番還元口２３から還元された二番還元物がチャフシーブ１４上に直接落下するような配置構成を採用するものでありながら、二番還元量が一時的に急増しても、オーバーフローの発生を回避できる。その結果、オーバーフローに伴う選別精度や選別効率の低下、機外飛散の増加などを防止することができる。また、二番還元量の一時的な急増に備えてチャフシーブ１４の開度を開き気味にする必要がないので、チャフシーブ１４における良好な選別性能を維持することができる。
【００１８】
また、オーバーフロー防止部材２８は、側壁部２２側に設けてもよいが、揺動選別体７に設けることが好ましい。このようにすると、オーバーフロー防止部材２８が揺動選別体７と一緒に揺動するので、オーバーフロー防止部材２８の近傍に溜まる二番還元物を積極的にほぐし、チャフシーブ１４における二番還元物の詰まりを抑制することができる。しかも、本実施形態では、第二フィードパン１８の右側支持側板２１を利用してオーバーフロー防止部材２８を取付けているので、構造の簡略化が図れるという利点がある。
【００１９】
本発明の実施形態に係る脱穀装置１では、チャフシーブ１４の一側方に二番還元口２３が位置し、該二番還元口２３から還元された二番還元物が第一フィードパン１３及びチャフシーブ１４上に落下するように配置するにあたり、第一フィードパン１３の二番還元口側に、処理物を第一フィードパン１３の中央側に寄せる３枚の寄せ板２９〜３１を並設してある。このようにすると、３枚の寄せ板２９〜３１によって、第一フィードパン１３上の処理物を中央側に寄せて、チャフシーブ１４の全域を有効に使い、良好な篩い選別を行うことができる。
【００２０】
また、第一フィードパン１３上に３枚の寄せ板２９〜３１を並設するにあたり、中央の寄せ板３０の高さを他の寄せ板２９、３１よりも高くしてある。このようにすると、３枚の寄せ板２９〜３１によって、処理物を第一フィードパン１３の中央側に寄せつつ、第一フィードパン１３上が中央の寄せ板３０を境に二つの領域１３ａ、１３ｂに分けられ、そして、一方の領域（左側領域）１３ａでは、背の高い中央の寄せ板３０によって二番還元物の混入が抑制されるので、受網６を介して扱室２から落下した処理物を可及的に単独でチャフシーブ１４に送り、選別精度を向上させることができる。また、他方の領域（右側領域）１３ｂは、主に二番還元物をチャフシーブ１４に送るので、チャフシーブ１４における二番還元物の漏下率を向上させ、選別効率を高めることができる。
【００２１】
また、中央の寄せ板３０の上端は、受網６又は受網枠６ａの下端と同等の高さ、又はそれよりも高いことが好ましい。このようにすると、受網６を介して扱室２から落下した処理物と、二番還元口２３から還元された二番物とをより良好に分離させることができるので、選別精度および選別効率をさらに向上させることが可能になる。
【００２２】
また、チャフシーブ１４上には、一部の処理物を後方に逃がしつつ、一部の処理物をチャフシーブ１４の中央側に寄せる寄せ板３２を設けることが好ましい。例えば、第一フィードパン１３上に設けられる３枚の寄せ板２９〜３１のうち、右側（二番還元口側）に位置する寄せ板３１の延長線上に寄せ板３２を配置し、該寄せ板３２の上端部を第二フィードパン１８の下面を利用して固定する一方、寄せ板３２の下端部とチャフシーブ１４との間には、一部の処理物を後方に逃がすための間隙３３を確保する。このようにすると、チャフシーブ１４上における処理物の偏りを解消し、選別精度および選別効率をさらに向上させることができる。
【００２３】
叙述の如く構成された本実施形態によれば、受網６を介して扱室２から選別室５に落下した処理物を、選別室５に設けられる揺動選別体７で選別すると共に、選別された二番物を、選別室５の側壁部２２に設けられる二番還元口２３から揺動選別体７上に還元させる脱穀装置１において、前記揺動選別体７は、受網６を介して扱室２から落下した処理物を受け止めて後方へ送る第一フィードパン１３と、第一フィードパン１３の後方で処理物を篩い選別するチャフシーブ１４と、チャフシーブ１４の後方で処理物を二番ラセン１１に漏下させるストロラック１６とを備えて構成されると共に、チャフシーブ１４の一側方に二番還元口２３が位置し、該二番還元口２３から還元された二番還元物がチャフシーブ１４上に直接落下するように配置され、さらに、チャフシーブ１４の後端部二番還元口側には、チャフシーブ１４上に落下した二番還元物のオーバーフローを防止するためのオーバーフロー防止部材２８が設けられるので、二番還元口２３から還元された二番還元物がチャフシーブ１４上に直接落下するような配置構成を採用するものでありながら、二番還元量が一時的に急増しても、オーバーフローの発生を回避できる。その結果、オーバーフローに伴う選別精度や選別効率の低下、機外飛散の増加などを防止することができる。また、二番還元量の一時的な急増に備えてチャフシーブ１４の開度を開き気味にする必要がないので、チャフシーブ１４における良好な選別性能を維持することができる。
【００２４】
また、オーバーフロー防止部材２８を揺動選別体７に設け、オーバーフロー防止部材２８が揺動選別体７と一緒に揺動するようにしたので、オーバーフロー防止部材２８の近傍に溜まる二番還元物を積極的にほぐし、チャフシーブ１４における二番還元物の詰まりを抑制することができる。
【００２５】
また、揺動選別体７は、扱室２の後部から選別室５に落下した処理物をチャフシーブ１４の上方で受け止めて後方へ送り、ストロラック１６上に落下させる第二フィードパン１８を備え、該第二フィードパン１８の一側方には、二番還元口２３から還元された二番還元物をチャフシーブ１４上に直接落下させるための空間２４が形成されるので、第二フィードパン１８を備えるものでも、二番還元口２３から還元された二番還元物をチャフシーブ１４上に直接落下させることができると共に、二番還元物のオーバーフローをオーバーフロー防止部材２８で防止することができる。
【図面の簡単な説明】
【００２６】
【図１】脱穀装置の内部側面図である。
【図２】脱穀装置を後右上方から見た斜視図である。
【図３】脱穀装置の四番口を後左上方から見た斜視図である。
【図４】脱穀装置の内部を後左上方から見た斜視図である。
【図５】脱穀装置の内部を前左上方から見た斜視図である。
【図６】脱穀装置の内部（第一フィードパンの一部及び遮蔽部材を省略）を前左上方から見た斜視図である。
【図７】揺動選別体を後右上方から見た斜視図である。
【図８】揺動選別体の平面図である。
【図９】揺動選別体（第二フィードパンを省略）の平面図である。
【図１０】揺動選別体の断面図である。
【符号の説明】
【００２７】
１    脱穀装置
２    扱室
４    扱胴
５    選別室
６    受網
７    揺動選別体
９    一番ラセン
１０  二番ラセン
１１  二番還元経路
１３  第一フィードパン
１４  チャフシーブ
１６  ストロラック
１８  第二フィードパン
２２  側壁部
２３  二番還元口
２４  空間
２８  オーバーフロー防止部材
【図１】
2010011803.tif 000003
【図２】
2010011803.tif 000004
【図３】
2010011803.tif 000005
【図４】
2010011803.tif 000006
【図５】
2010011803.tif 000007
【図６】
2010011803.tif 000008
【図７】
2010011803.tif 000009
【図８】
2010011803.tif 000010
【図９】
2010011803.tif 000011
【図１０】
2010011803.tif 000012